(57)【特許請求の範囲】
【請求項１】
芯線と、この芯線の外周を絶縁内皮を介して覆う編組線と、この編組線の外周を覆う絶縁外皮とを有した同軸線の端末が接続され、
前記芯線の端末に接続されると共に相手端子と接続されるインナー端子と、
このインナー端子が前記芯線の端末とともに収容されるインナーハウジングと、
前記同軸線の編組線と絶縁外皮とが圧着される圧着部と前記インナーハウジングが前記インナー端子を収容した状態で固定される本体部とで形成される端子金具とで形成される同軸コネクタであって、
前記インナーハウジングは、前記インナー端子の相手端子接続部が挿入される端子接続側収容部と、前記インナー端子と前記芯線の端末とが圧着された芯線圧着部が収容され前記端子金具の圧着により端子金具に固定される芯線圧着部収容部とで形成されるハウジング本体に、前記端子接続側収容部と前記芯線圧着部収容部とに連続して設けられて前記芯線圧着部と前記インナー端子とが収容される芯線収容溝を設け、
前記芯線収容溝の対向する内壁に前記芯線圧着部の両側が差し込まれるスリットをそれぞれ設け、
前記端子金具の圧着により、前記芯線圧着部が前記インナーハウジングと端子金具により覆われると共に、前記芯線圧着部の両側が差し込まれた前記スリットが曲がっていることを特徴とする同軸コネクタ。
【請求項２】
請求項１記載の同軸コネクタであって、
前記端子金具の本体部は、前記インナーハウジングに圧着するインナーハウジング用圧着部と、前記インナーハウジングを収容するインナーハウジング収容筒部とで形成され、
前記端子金具の圧着部は、前記絶縁外皮が圧着される絶縁外皮圧着部と、前記編組線が圧着される編組線圧着部とで形成され、
前記インナーハウジング用圧着部は、前記編組線圧着部を間に挟んで前記絶縁外皮圧着部の反対側に設けられていることを特徴とする同軸コネクタ。
【発明の詳細な説明】
【技術分野】
【０００１】
本発明は、同軸線の端末に接続される同軸コネクタに関し、特に高周波性能を向上させることが可能な同軸コネクタに関する。
【背景技術】
【０００２】
図８及び図９は特許文献１に開示された従来の同軸コネクタ１００を示す。同軸コネクタ１００は同軸線１１０の端末に接続されるものであり、インナー端子１２０と、インナーハウジング１３０と、端子金具１４０とを備えて形成されている。
【０００３】
同軸線１１０は芯線１１１と、芯線１１１の外周を覆う絶縁内皮１１２と、絶縁内皮１１２の外周を覆う編組線１１３と、編組線１１３の外周を覆う絶縁外皮１１４とによって形成されており、絶縁外皮１１４が皮剥きされて編組線１１３が絶縁外皮１１４外周に折り返されるとともに、絶縁内皮１１２が皮剥きされて芯線１１１が露出した状態で同軸コネクタ１００に接続される。
【０００４】
インナー端子１２０は同軸線１１０の芯線１１１の端末に接続されるものであり、芯線１１１の端末に圧着されて接続された芯線圧着部１２１が形成されている。インナー端子１２０の先端部は相手端子が接続される相手端子接続部１２２となっている。
【０００５】
インナーハウジング１３０は絶縁樹脂によって筒状に形成されており、内部にインナー端子１２０が収容される。インナーハウジング１３０に収容されたインナー端子１２０は相手端子接続部１２２がインナーハウジング１３０の先端部分に位置する。従来の同軸コネクタ１００においては、芯線１１１の端末とインナー端子１２０との接続部分である芯線圧着部１２１はインナーハウジング１３０の外側に出ており、インナーハウジング１３０に収容されることがない。
【０００６】
端子金具１４０は横長の底板部１４１を有し、底板部１４１の先端側（図８及び図９における左端側）から後端側（図８及び図９における右端側）に向かってインナーハウジング収容筒部１４２と、インナーハウジング用圧着部１４３と、編組線圧着部１４４と、絶縁外皮圧着部１４５とが順に形成されている。
【０００７】
この端子金具１４０に対し、インナーハウジング１３０は芯線１１１の端末が接続されたインナー端子１２０を収容した状態となっており、このインナー端子１２０の収容状態でインナーハウジング１３０が底板部１４１の後端側底板部１４１の長さ方向に沿ってスライドされることにより端子金具１４０に組み付けられる。この組み付けでは、インナーハウジング１３０の先端部分がインナーハウジング収容筒部１４２に挿入される。その後、加締めを行うことによってインナーハウジング用圧着部１４３がインナーハウジング１３０に圧着し、編組線圧着部１４４が同軸線１１０の編組線１１３に圧着し、絶縁外皮圧着部１４５が同軸線１１０の絶縁外皮１１４に圧着する。これらの圧着によってインナーハウジング１３０及び同軸線１１０が端子金具１４０に固定されて同軸コネクタ１００が組み立てられる。
【先行技術文献】
【特許文献】
【０００８】
【特許文献１】特開２０１０-１４０８０８号公報
【発明の概要】
【発明が解決しようとする課題】
【０００９】
しかしながら、従来の同軸コネクタ１００においては、端子金具１４０を加締めて圧着した状態では開放部分が多すぎ、特に芯線１１の端末とインナー端子１２０との接続部分である芯線圧着部１２１が外側に出た状態であって覆われることがない。このため高周波性能が劣る問題を有している。
【００１０】
そこで本発明は、芯線の端末とインナー端子との接続部分を確実に覆って、高周波性能を向上させることが可能な同軸コネクタを提供することを目的とする。
【課題を解決するための手段】
【００１１】
請求項１記載の発明は、芯線と、この芯線の外周を絶縁内皮を介して覆う編組線と、この編組線の外周を覆う絶縁外皮とを有した同軸線の端末が接続され、前記芯線の端末に接続されると共に相手端子と接続されるインナー端子と、このインナー端子が前記芯線の端末とともに収容されるインナーハウジングと、前記同軸線の編組線と絶縁外皮とが圧着される圧着部と前記インナーハウジングが前記インナー端子を収容した状態で固定される本体部とで形成される端子金具とで形成される同軸コネクタであって、前記インナーハウジングは、前記インナー端子の相手端子接続部が挿入される端子接続側収容部と、前記インナー端子と前記芯線とが圧着された芯線圧着部が収容され前記端子金具の圧着により端子金具に固定される芯線圧着部収容部とで形成されるハウジング本体に、前記端子接続側収容部と前記芯線圧着部収容部とに連続して設けられて前記芯線圧着部と前記インナー端子とが収容される芯線収容溝を設け、前記芯線収容溝の対向する内壁に前記芯線圧着部の両側が差し込まれるスリットをそれぞれ設け、前記端子金具の圧着により、前記芯線圧着部が前記インナーハウジングと端子金具により覆われると共に、前記芯線圧着部の両側が差し込まれた前記スリットが曲がっていることを特徴とする。
【００１２】
請求項２記載の発明は、請求項１記載の同軸コネクタであって、前記端子金具の本体部は、前記インナーハウジングに圧着するインナーハウジング用圧着部と、前記インナーハウジングを収容するインナーハウジング収容筒部とで形成され、前記端子金具の圧着部は、前記絶縁外皮が圧着される絶縁外皮圧着部と、前記編組線が圧着される編組線圧着部とで形成され、前記インナーハウジング用圧着部は、前記編組線圧着部を間に挟んで前記絶縁外皮圧着部の反対側に設けられていることを特徴とする。
【発明の効果】
【００１３】
請求項１記載の発明では、インナー端子と芯線の端末とが圧着された芯線圧着部が収容される芯線収容溝をインナーハウジングに設け、芯線収容溝の対向する内壁に形成されたスリットに芯線圧着部の両側を差し込む構造となっており、芯線圧着部がインナーハウジングに確実に固定される。従って、芯線圧着部がインナーハウジングから外れることがない。そしてスリットへの芯線圧着部の差し込み状態で端子金具を圧着することにより、芯線圧着部がインナーハウジングと端子金具とによって覆われた状態となる。このためインナー端子と芯線の端末との接続部分を確実に覆うことができ、高周波性能を向上させることができる。
【００１４】
請求項２記載の発明によれば、端子金具のインナーハウジング用圧着部が編組線圧着部を間に挟んで絶縁外皮圧着部の反対側に設けられていることにより、編組線圧着部がインナーハウジング用圧着部及び絶縁外皮圧着部に挟まれた状態となる。このような状態では、編組線圧着部に圧着される同軸線の編組線がインナーハウジング用圧着部及び絶縁外皮圧着部と当たることがなく、編組線が解れた編組線切れが発生しない。従って、編組線切れが芯線と接触することがなく、芯線と編組線とのショートの発生を防止することができる。
【図面の簡単な説明】
【００１５】
【図１】本発明の一実施形態の同軸コネクタにおける端子金具とインナーハウジングの組み付け状態を示す斜視図である。
【図２】同軸線に接続されたインナー端子を組み付ける状態を示す斜視図である。
【図３】インナーハウジングを示す斜視図である。
【図４】図３における矢印Ｂ方向からの端面図である。
【図５】端子金具の圧着前を示す斜視図である。
【図６】端子金具を圧着した状態を示す斜視図である。
【図７】端子金具の圧着後におけるインナーハウジングの状態を示す端面図である。
【図８】従来の同軸コネクタの組み立て前を示す斜視図である。
【図９】従来の同軸コネクタの組み立て状態を示す斜視図である。
【発明を実施するための形態】
【００１６】
以下、本発明を図示する実施形態により具体的に説明する。図１は本発明の一実施形態の同軸コネクタ１における端子金具５とインナーハウジング４の組み付け状態を示す斜視図、図２は同軸線２に接続されたインナー端子３を組み付ける状態を示す斜視図、図３はインナーハウジング４を示す斜視図、図４は図３における矢印Ｂ方向からの端面図、図５は端子金具５の圧着前を示す斜視図、図６は端子金具５を圧着した状態を示す斜視図、図７は端子金具５の圧着後におけるインナーハウジング４の状態を示す端面図である。
【００１７】
図２に示すように、同軸コネクタ１は同軸線２に接続されるインナー端子３と、インナー端子３を収容するインナーハウジング４と、同軸線２及びインナーハウジング４を固定する端子金具５とによって形成されている。
【００１８】
同軸線２は図２に示すように、導電性の複数の素線を撚り合わせた芯線２１と、芯線２１の外周を覆うように設けられた誘電体からなる絶縁内皮２２と、芯線２１と同様の素線がネット状に編成され、絶縁内皮２２の外周を覆うように設けられた編組線２３と、編組線２３の外周を覆う絶縁樹脂からなる絶縁外皮２４とを備えている。芯線２１は高周波信号を伝送し、編組線２３は電磁波をシールドする。このような同軸線２は絶縁外皮２４を皮剥きして編組線２３を露出させると共に、絶縁内皮２２を皮剥きして芯線２１を露出させた状態とし、この状態で端末部分が同軸コネクタ１に接続される。
【００１９】
インナー端子３は芯線２１の端末に接続されると共に、相手端子（図示省略）と接続される。図２に示すようにインナー端子３は、先端側（左端側）が相手端子と接続される相手端子接続部３１となっており、後端側（右端側）が芯線２１の端末が接続される芯線圧着部７となっている。芯線圧着部７は芯線２１の端末が差し込まれた状態で加締められて圧着することにより芯線２１の端末と接続された状態となっている部分である。
【００２０】
この実施形態のインナー端子３においてはインピーダンス調整部３３が設けられている。インピーダンス調整部３３は略Ｕ字形状となるように形成されており、相手端子接続部３１と芯線圧着部７との間に設けられている。インピーダンス調整部３３はインナーハウジング４（インナーハウジング４のインピーダンス調整部収容部４６）に嵌合し、この嵌合によりインナーハウジング４に対するインナー端子３の位置決めを行うように作用する。
【００２１】
インナーハウジング４はインナー端子３が同軸線２の芯線２１と共に収容される部材であり、全体が絶縁樹脂により形成されている。図３及び図４に示すように、インナーハウジング４はハウジング本体４１と、ハウジング本体４１に設けられた芯線収容溝４２とによって形成されている。
【００２２】
ハウジング本体４１はインナー端子３の相手端子接続部３１が挿入される端子接続側収容部４３と、インナー端子３と芯線２１の端末とが圧着された上述の芯線圧着部７が収容される芯線圧着部収容部４４とを有している。端子接続側収容部４３の前壁部４３ａにはインナー端子３の相手端子接続部３１に対応した挿入開口４５が形成されている。また端子接続側収容部４３と芯線圧着部収容部４４との間には、インナー端子３のインピーダンス調整部３３が嵌合するインピーダンス調整部収容部４６が形成されている。
【００２３】
インナーハウジング４の芯線収容溝４２は、端子接続側収容部４３と芯線圧着部収容部４４とにかけて連続するように設けられている。この芯線収容溝４２は上面部分が長さ方向に切り欠かれており、切り欠かれた上面部分からインナー端子３が芯線圧着部７と共に落とし込まれ、この落とし込みによりインナー端子３及び芯線圧着部７が芯線収容溝４２に収容される。
【００２４】
以上に加えて、インナーハウジング４にはスリット（曲げスリット）４７が形成されている。スリット４７は芯線収容溝４２の対向する内壁４８にそれぞれ設けられるものである。この実施形態において、芯線収容溝４２の対向する内壁４８は芯線圧着部収容部４４の内壁となっており、従ってこの実施形態では、スリット４７は芯線圧着部収容部４４に設けられている。かかるスリット４７には芯線圧着部７の両側が差し込まれる。芯線圧着部７の両側がスリット４７に差し込まれることにより、芯線圧着部７（インナー端子３）がインナーハウジング４に固定される。この固定によりインナーハウジング４に作用する曲げ応力に伴って芯線圧着部７の両側がインナーハウジング４と一体となって曲げられる。かかるインナーハウジング４への曲げ応力は後述するように端子金具５の圧着によって作用するものである。
【００２５】
端子金具５は導電性金属板を折り曲げ加工することにより形成されている。図１及び図２に示すように、長さ方向に延びる底板部５３を有し、底板部５３の先端側（左端側）が本体部５１となっており、後端側（右端側）が圧着部５２となっている。
【００２６】
端子金具５の本体部５１はインナー端子３を収容したインナーハウジング４が固定されるものである。この本体部５１は先端側のインナーハウジング収容筒部５４と、インナーハウジング収容筒部５４の後側のインナーハウジング用圧着部５５とによって形成されている。
【００２７】
インナーハウジング収容筒部５４は円形筒状となっており、インナーハウジング４の端子接続側収容部４３を内部に収容する。インナーハウジング用圧着部５５はインナーハウジング収容筒部５４の後側で立ち上がる一対のインナーハウジング用圧着片５５ａを有しており、インナーハウジング用圧着片５５ａを加締めてインナーハウジング４に圧着させることによりインナーハウジング４を固定する。
【００２８】
端子金具５の圧着部５２は同軸線２の絶縁外皮２４と編組線２３とに圧着し、この圧着により編組線２３及び絶縁外皮２４を端子金具５に固定する。このため圧着部５２は絶縁外皮圧着部５６及び編組線圧着部５７が形成されている。絶縁外皮圧着部５６は底板部５３の両側から立ち上がる一対の絶縁外皮圧着片５６ａを有しており、一対の絶縁外皮圧着片５６ａが同軸線２の絶縁外皮２４に圧着して絶縁外皮２４を端子金具５に固定する。
【００２９】
編組線圧着部５７は底板部５３の両側から立ち上がる一対の編組線圧着片５７ａを有しており、一対の編組線圧着片５７ａが同軸線２の編組線２３に圧着して編組線２３を端子金具５に固定する。
【００３０】
この場合、編組線圧着部５７はインナーハウジング用圧着部５５と絶縁外皮圧着部５６とに挟まれるようにこれらの間に設けられている。編組線圧着部５７がこのように設けられることにより、編組線圧着部５７に圧着される同軸線２の編組線２３がインナーハウジング用圧着部５５及び絶縁外皮圧着部５６と当たることがなく、編組線２３が解れた編組線切れが発生しない。このため、編組線切れが芯線２１と接触することに起因した芯線２１と編組線２３とのショートの発生を防止できる。
【００３１】
次にこの実施形態の同軸コネクタ１の組み立てを説明する。
【００３２】
まず、図１に示すようにインナーハウジング４を端子金具５に組み付ける。この組み付けは、ハウジング本体４１がインナーハウジング収容筒部５４に挿入されるようにインナーハウジング４を端子金具５に組み付ける。この組み付けによりインナーハウジング４の芯線圧着部収容部４４が端子金具５のインナーハウジング用圧着部５５に位置する。また、組み付け状態ではインナーハウジング４の芯線収容溝４２は開口された部分が上側を向いた状態となっている。
【００３３】
一方、同軸線２においては、芯線２１の端末に対してインナー端子３を圧着することによりインナー端子３に芯線圧着部７を形成し、この芯線圧着部７によってインナー端子３と同軸線２の芯線２１を接続した状態とする。
【００３４】
そして、図２に示すようにインナー端子３と同軸線２との組み付けアッシーをインナーハウジング４が取り付けられている端子金具５に組み付ける。この組み付けは、図２の矢印Ａで示すように、インナー端子３と同軸線２との組み付けアッシーを落とし込むことにより行う。かかる落とし込みは図５に示すように、インナーハウジング４の端子接続側収容部４３にインナー端子３の相手端子接続部３１が位置し、インナーハウジング４のインピーダンス調整部収容部４６にインナー端子３のインピーダンス調整部３３が位置し、インナーハウジング４の芯線圧着部収容部４４にインナー端子３の芯線圧着部７が位置した状態で行われる。これと同時に、同軸線２の編組線２３は端子金具５の編組線圧着部５７に位置し、同軸線２の絶縁外皮２４は端子金具５の絶縁外皮圧着部５６に位置する。
【００３５】
上述した落とし込みによりインナー端子３の芯線圧着部７の両側がインナーハウジング４に形成されているスリット４７に差し込まれる。スリット４７への差し込みにより芯線圧着部７がインナーハウジング４に確実に固定され、芯線圧着部７がインナーハウジング４から外れることがなくなる。
【００３６】
図６は図５に続く状態であり、端子金具５を圧着した状態を示す。端子金具５の圧着は、インナーハウジング用圧着部５５をインナーハウジング４の芯線圧着部収容部４４に圧着させ、編組線圧着部５７を同軸線２の編組線２３に圧着させ、絶縁外皮圧着部５６を同軸線２の絶縁外皮２４に圧着させることによりなされる。編組線２３及び絶縁外皮２４への圧着によりこれらが端子金具５に固定されると共に、端子金具５が編組線２３に接続される。
【００３７】
また、インナーハウジング用圧着部５５をインナーハウジング４の芯線圧着部収容部４４に圧着させることにより、芯線圧着部収容部４４に曲げ応力が作用する。この曲げ応力は芯線圧着部収容部４４の両側から同収容部４４を圧縮する曲げ方向に作用する。このため、芯線圧着部収容部４４に形成されているスリット４７も同方向に曲げられる。図７はこのように曲げられた状態を示す。
【００３８】
スリット４７の曲げにより、スリット４７に両側が差し込まれている芯線圧着部７も一体となって曲げられる。この曲げと共に、芯線圧着部７はインナーハウジング４の芯線圧着部収容部４４に覆われた状態が保持され、さらにこの芯線圧着部収容部４４が端子金具５のインナーハウジング用圧着部５５に覆われた状態が保持される。このように芯線圧着部７がインナーハウジング４の芯線圧着部収容部４４に覆われると共に、端子金具５のインナーハウジング用圧着部５５に覆われることにより、インナー端子３と芯線２１の端末との接続部分が確実に覆われて露出することがない。これにより高周波性能を向上させることができる。
【００３９】
また、この実施形態では同軸線２の編組線２３が端子金具５のインナーハウジング用圧着部５５及び絶縁外皮圧着部５６と当たることがなく、編組線切れが発生しないため、編組線切れが芯線２１と接触することがなく、編組線２３と芯線２１とのショート発生を防止することができる。
【００４０】
本発明は以上の実施形態に限定されることがなく種々変形が可能である。例えば、インナーハウジング４のスリット４７はインナー端子３の芯線圧着部７の両側が差し込まれるものであれば、芯線圧着部収容部４４に形成することなく、インナーハウジング４の端子接続側収容部４３等の他の部位に形成しても良い。また、インナー端子３においては、インピーダンス調整部３３を省略しても良い。
【符号の説明】
【００４１】
１  同軸コネクタ
２  同軸線
３  インナー端子
４  インナーハウジング
５  端子金具
７  芯線圧着部
２１  芯線
２２  絶縁内皮
２３  編組線
２４  絶縁外皮
３１  相手端子接続部
３３  インピーダンス調整部
４１  ハウジング本体
４２  芯線収容溝
４３  端子接続側収容部
４４  芯線圧着部収容部
４７  スリット
４８  内壁
５１  本体部
５２  圧着部
５３  底板部
５４  インナーハウジング収容筒部
５５  インナーハウジング用圧着部
５６  絶縁外皮圧着部
５７  編組線圧着部
【図１】
0005922442.tif 000002
【図２】
0005922442.tif 000003
【図３】
0005922442.tif 000004
【図４】
0005922442.tif 000005
【図５】
0005922442.tif 000006
【図６】
0005922442.tif 000007
【図７】
0005922442.tif 000008
【図８】
0005922442.tif 000009
【図９】
0005922442.tif 000010